【手続補正書】
【提出日】平成17年12月26日(2005.12.26)
【手続補正１】
【補正対象書類名】明細書
【補正対象項目名】発明の名称
【補正方法】変更
【補正の内容】
【発明の名称】ディジタル放送受信装置および方法、コンテンツ受信装置、並びに提供媒体
【手続補正２】
【補正対象書類名】明細書
【補正対象項目名】特許請求の範囲
【補正方法】変更
【補正の内容】
【特許請求の範囲】
【請求項１】  複数のサービスプロバイダからの主情報と付随情報を含む放送信号を受信し、受信した放送信号に基づいて画像を表示するディジタル放送受信装置において、
複数の前記放送信号の中から所定のサービスプロバイダのものを選択して受信し、処理する受信処理手段と、
前記受信処理手段により得られた前記複数のサービスプロバイダの放送信号の前記付随情報を総合化処理する総合化処理手段と、
前記主情報、または前記総合化処理手段によって総合化処理された付随情報の表示を制御する表示制御手段と、
前記表示制御手段により表示された情報から所望の情報を選択する情報選択手段と
を備えることを特徴とするディジタル放送受信装置。
【請求項２】  前記受信処理手段は、複数の前記放送信号に共通の受信処理を行う
ことを特徴とする請求項１に記載のディジタル放送受信装置
【請求項３】  前記受信処理手段は、さらに、複数の前記放送信号のそれぞれに対応する固有の受信処理を行う
ことを特徴とする請求項２に記載のディジタル放送受信装置
【請求項４】  前記総合化処理された付随情報は、前記複数のサービスプロバイダのEPG情報である
ことを特徴とする請求項１に記載のディジタル放送受信装置
【請求項５】  前記表示制御手段は、さらに、番組の受信条件情報の表示を制御する
ことを特徴とする請求項１に記載のディジタル放送受信装置
【請求項６】  前記表示制御手段は、前記ディジタル放送受信装置が接続されているネットワークに接続されている他の装置を検出し、検出した前記他の装置の動作状況に基づいて番組の受信条件情報の表示を制御する
ことを特徴とする請求項５に記載のディジタル放送受信装置
【請求項７】  前記表示制御手段は、さらに、前記複数のサービスプロバイダを表すマークの表示を制御する
ことを特徴とする請求項１に記載のディジタル放送受信装置
【請求項８】  複数のサービスプロバイダからの主情報と付随情報を含む放送信号を受信し、受信した放送信号に基づいて画像を表示するディジタル放送受信装置のディジタル放送受信方法において、
複数の前記放送信号の中から所定のサービスプロバイダのものを選択して受信し、処理する受信処理ステップと、
前記受信処理ステップで得られた前記複数のサービスプロバイダの放送信号の前記付随情報を総合化処理する総合化処理ステップと、
前記主情報、または前記総合化処理ステップで総合化処理された付随情報の表示を制御する表示制御ステップと、
前記表示制御ステップで表示された情報から所望の情報を選択する情報選択ステップと
を含むことを特徴とするディジタル放送受信方法。
【請求項９】  複数のサービスプロバイダからの主情報と付随情報を含む放送信号を受信し、受信した放送信号に基づいて画像を表示するディジタル放送受信装置に、
複数の前記放送信号の中から所定のサービスプロバイダのものを選択して受信し、処理する受信処理ステップと、
前記受信処理ステップで得られた前記複数のサービスプロバイダの放送信号の前記付随情報を総合化処理する総合化処理ステップと、
前記主情報、または前記総合化処理ステップで総合化処理された付随情報の表示を制御する表示制御ステップと、
前記表示制御ステップで表示された情報から所望の情報を選択する情報選択ステップと
を含む処理を実行させるコンピュータが読み取り可能なプログラムを提供することを特徴とする提供媒体。
【請求項１０】  複数のサービスプロバイダからの主情報と付随情報を含むコンテンツ信号を受信し、受信したコンテンツ信号に基づいて画像を表示するコンテンツ受信装置において、
複数の前記コンテンツ信号の中から所定のサービスプロバイダのものを選択して受信し、処理する受信処理手段と、
前記受信処理手段により得られた前記複数のサービスプロバイダのコンテンツ信号の前記付随情報を総合化処理する総合化処理手段と、
前記主情報、または前記総合化処理手段によって総合化処理された付随情報の表示を制御する表示制御手段と、
前記表示制御手段により表示された情報から所望の情報を選択する情報選択手段と
を備えることを特徴とするコンテンツ受信装置。
【手続補正３】
【補正対象書類名】明細書
【補正対象項目名】０００１
【補正方法】変更
【補正の内容】
【０００１】
【発明の属する技術分野】
本発明は、ディジタル放送受信装置および方法、コンテンツ受信装置、並びに提供媒体に関し、特に例えば、複数のサービスプロバイダからの主情報と付随情報からなる放送信号を受信し、受信した放送信号に基づいて画像を表示するディジタル放送受信装置および方法、コンテンツ受信装置、並びに提供媒体に関する。
【手続補正４】
【補正対象書類名】明細書
【補正対象項目名】００１３
【補正方法】変更
【補正の内容】
【００１３】
請求項１０に記載のコンテンツ受信装置は、複数のコンテンツ信号の中から所定のサービスプロバイダのものを選択して受信し、処理する受信処理手段と、受信処理手段により得られた複数のサービスプロバイダのコンテンツ信号の付随情報を総合化処理する総合化処理手段と、主情報、または総合化処理手段によって総合化処理された付随情報の表示を制御する表示制御手段と、表示制御手段により表示された情報から所望の情報を選択する情報選択手段とを備えることを特徴とする。
請求項１に記載のディジタル放送受信装置、請求項８に記載のディジタル放送受信方法、および請求項９に記載の提供媒体、並びに、請求項１０に記載のコンテンツ受信装置においては、受信する各サービスプロバイダに関する付随情報が総合化されて表示画面に表示される。
【手続補正５】
【補正対象書類名】明細書
【補正対象項目名】００１５
【補正方法】変更
【補正の内容】
【００１５】
請求項１に記載のディジタル放送受信装置は、複数の放送信号の中から所定のサービスプロバイダのものを選択して受信し、処理する受信処理手段（例えば、図２のチューナ３３）と、受信処理手段により得られた複数のサービスプロバイダの放送信号の付随情報を総合化処理する総合化処理手段（例えば、図２のCPU５１）と、主情報、または総合化処理手段によって総合化処理された付随情報の表示を制御する表示制御手段（例えば、図２のグラフィックエンジン４１）と、表示制御手段により表示された情報から所望の情報を選択する情報選択手段（例えば、図２のリモートコントローラ２１）とを備えることを特徴とする。
請求項１０に記載のコンテンツ受信装置は、複数の放送信号の中から所定のサービスプロバイダのものを選択して受信し、処理する受信処理手段（例えば、図２のチューナ３３）と、受信処理手段により得られた複数のサービスプロバイダの放送信号の付随情報を総合化処理する総合化処理手段（例えば、図２のCPU５１）と、主情報、または総合化処理手段によって総合化処理された付随情報の表示を制御する表示制御手段（例えば、図２のグラフィックエンジン４１）と、表示制御手段により表示された情報から所望の情報を選択する情報選択手段（例えば、図２のリモートコントローラ２１）とを備えることを特徴とする。
【手続補正６】
【補正対象書類名】明細書
【補正対象項目名】００５１
【補正方法】変更
【補正の内容】
【００５１】
【発明の効果】
請求項１に記載のディジタル放送受信装置、請求項８に記載のディジタル放送受信方法、および請求項９に記載の提供媒体、並びに、請求項１０に記載のコンテンツ受信装置によれば、受信する各サービスプロバイダに関する付随情報を総合化して表示させるようにしたので、操作方法を統一することができ、複数のサービスプロバイダにわたる多数のチャンネルから、迅速かつ適確に目的の番組を選択して視聴することが可能になり、番組の視聴を効率的かつ有効的に行うことが可能になる。